(57)【特許請求の範囲】
【請求項１】
火災が発生した際に、人が頭から被り、煙や有害ガスを吸い込むことなく避難するときに用いる緊急避難用防煙具（１）であって、
人が頭から被った状態で２〜５分程度の呼吸ができる空気を充填できる容量があり、その人の首の位置で縮めることができる開口部（２）を有する有底筒形状の防煙袋（３）と、
前記防煙袋（３）の開口部（２）に取り付けられた引き出し片（４）と、
前記防煙袋（３）を折り畳んだ状態で収納すると共に、前記引き出し片（４）の先端を取り出せる取出し口（５）を有するケース（６）と、
前記ケース（６）に取り付けられた、該ケース（６）を家具又は壁等の被取付部に貼り付けるための粘着部（７）と、を備え、
前記防煙袋（３）は、その開口部（２）が前記ケース（６）の取出し口（５）側に位置するように折り畳まれた状態に、かつ、
前記引き出し片（４）は、前記ケース（６）の取出し口（５）から該引き出し片（４）の先端が飛び出した状態に成り、
火災が発生した際に、前記被取付部に貼り付けられた前記ケース（６）から飛び出している引き出し片（４）を引き、
該引き出し片（４）を引き出すと同時に、該引き出し片（４）が取り付けられている開口部（２）を開いた状態の防煙袋（３）を、該ケース（６）から取り出し、該開口部（２）から該防煙袋（３）内に空気を取り込み、そこに人の頭部（Ｈ）を入れることができる構成にした、ことを特徴とする緊急避難用防煙具。
【請求項２】
前記防煙袋（３）は底筒形状を有する透明な袋であり、その開口部（２）の縁端の中央位置に、前記引き出し片（４）が１枚取り付けられた、ことを特徴とする請求項１に記載の緊急避難用防煙具。
【請求項３】
前記防煙袋（３）は底筒形状を有する透明な袋であり、その開口部（２）の各縁端に引き出し片（４）がそれぞれに取り付けられた、ことを特徴とする請求項１に記載の緊急避難用防煙具。
【請求項４】
前記引き出し片（４）は、前記ケース（６）の取出し口（５）から飛び出している部分に指掛け穴（２１）が開けられた、ことを特徴とする請求項１、２又は３の何れかに記載の緊急避難用防煙具。
【請求項５】
前記引き出し片（４）は、暗闇でも発見しやすいように、蓄光塗料（夜光塗料）が塗布されたものである、ことを特徴とする請求項１、２、３又は４の何れかに記載の緊急避難用防煙具。
【請求項６】
前記引き出し片（４）を引いた際に、折り畳んだ防煙袋（３）が展開して広がりやすいように、前記防煙袋（３）の開口部（２）と反対位置の有底部分を前記ケース（６）の内面に粘着剤で貼着した、ことを特徴とする請求項１、２、３、４又は５の何れかに記載の緊急避難用防煙具。
【請求項７】
前記被取付部が劇場、レストラン、ホール等の椅子（１１）であり、
前記ケース（６）の取出し口（５）から引き出し片（４）を垂らした状態になるように、該椅子（１１）の座席下面に、前記ケース（６）の粘着部（７）を貼り付けた、ことを特徴とする請求項１、２、３、４、５又は６の何れかに記載の緊急避難用防煙具。
【請求項８】
前記被取付部がホテル、レストラン、ホール等のテーブル・机（１２）であり、
前記ケース（６）の取出し口（５）から引き出し片（４）を垂らした状態になるように、該テーブル・机（１２）の板材下面に、前記ケース（６）の粘着部（７）を貼り付けた、ことを特徴とする請求項１、２、３、４、５又は６の何れかに記載の緊急避難用防煙具。
【発明の詳細な説明】
【技術分野】
【０００１】
本発明は、火災発生時に頭から被り、煙や有害ガスを吸い込むことなく避難するための緊急避難用防煙具に関する。
【背景技術】
【０００２】
近年、住居用マンション、雑居ビル、ホテル、ショッピングセンターなどの建物では施設の高層化が進んでいる。このような施設で一旦火災が発生すると、下層階から上層階へ流れて避難経路等に立ち込めた煙が避難の障害となり、甚大な被害をもたらすことがあった。また映画館、劇場、地下街のレストランやティーラウンジのように人が多数集まる場所などでは立ち込めた煙によるパニックによって円滑な避難が妨げられ、大きな被害が発生するおそれがある。
【０００３】
ここで火災による被害は、炎によるものよりも、火災によって発生した煙や有害ガスを吸い込むことによる呼吸困難や失神に起因するものが圧倒的に多いといった事実がある。従来から避難時には、１〜３分程度の間、煙や有害ガスを吸い込むことなく移動することができれば、その生存率は飛躍的に上昇するといわれている。そこで、例えばホテルの各部屋には防煙用のビニール袋が置かれるようになった。火災発生時に、人はこのビニール袋を被り、煙、一酸化炭素や建材が燃えて発する有害なガスを吸わないで避難できるようになっている。
【０００４】
上述したような避難用のビニール袋（防煙袋）の使用に際しては、次の作業手順に示すような動作が必要となる。
（１）ビニール袋を入れた収納袋を探す。
（２）折り畳まれた状態で収納袋に入れられたビニール袋を収納袋から取り出す。
（３）折り畳まれたビニール袋を広げる。
（４）人の頭部を入れるビニール袋の開口部を広げる。
（５）ビニール袋を振り、この中に空気を入れて充分に膨らませる。
（６）これを頭から被り、首の部分でビニール袋の開口部を絞る。
（７）ビニール袋内の空気で呼吸し、外部の煙や有害ガスを吸い込むことなく避難する。
【０００５】
このような、防煙用のビニール袋に関する技術は種々提案されている。例えば特許文献１のように、避難時に頭部に被ることで煙を吸い込むことなく避難するための袋体である「防煙用フード」などの避難用の防煙袋が提案されている。
【先行技術文献】
【特許文献】
【０００６】
【特許文献１】特開２０１２−３６５３３号公報
【発明の概要】
【発明が解決しようとする課題】
【０００７】
このように従来の避難用のビニール袋（防煙袋）ではその使用に煩雑な動作を伴うため、その使用が正しい手順で行われないと、ビニール袋（防煙袋）の使用が不可能になる。避難中にビニール袋内の酸素が足りなくなるおそれがあり、不適切な使用は人命に関わる。また、火災発生の緊急時には避難者（使用者）は気が動転していることが多く、上記の全ての動作を滞りなく行うことは実際上極めて困難であるのが実情であった。暗所などではビニール袋（防煙袋）を直ちに探し出して手に取ることが困難なことも予想される。
【０００８】
火災が発生すると、電気配線に支障を来して照明が遮断されることが多い。暗くなった室内では、ビニール袋（防煙袋）の場所が分からなくなることが多い。これを探すのに時間を要し、使用できないという問題があった。例えば、ホテルのような狭い部屋では荷物が散乱している場合には、ビニール袋（防煙袋）が入っている小さな収納袋は探しづらかった。他の小物類、衣類等と区別しづらいという問題を有していた。
【０００９】
更に、小さな収納袋からこのビニール袋（防煙袋）を出しても、その開口部を開けることが困難になる。また、焦れば焦るほど、ビニール袋（防煙袋）の開口部を開けることが困難になり、このビニール袋（防煙袋）を迅速に被ることができないという問題を有していた。
【００１０】
本発明は上記問題点を解決するためになされたもので、その目的は、迅速に見つけ出し、かつ迅速に装着することができ、煙や有害ガスを吸い込むことなく避難する際に使用できる緊急避難用防煙具を提供することにある。
【課題を解決するための手段】
【００１１】
本発明は、火災が発生した際に、人が頭から被り、煙や有害ガスを吸い込むことなく避難するときに用いる緊急避難用防煙具（１）であって、
人が頭から被った状態で２〜５分程度の呼吸ができる空気を充填できる容量があり、その人の首の位置で縮めることができる開口部（２）を有する有底筒形状の防煙袋（３）と、
前記防煙袋（３）の開口部（２）に取り付けられた引き出し片（４）と、
前記防煙袋（３）を折り畳んだ状態で収納すると共に、前記引き出し片（４）の先端を取り出せる取出し口（５）を有するケース（６）と、
前記ケース（６）に取り付けられた、該ケース（６）を家具又は壁等の被取付部に貼り付けるための粘着部（７）と、を備え、
前記防煙袋（３）は、その開口部（２）が前記ケース（６）の取出し口（５）側に位置するように折り畳まれた状態に、かつ、
前記引き出し片（４）は、前記ケース（６）の取出し口（５）から該引き出し片（４）の先端が飛び出した状態に成り、
火災が発生した際に、前記被取付部に貼り付けられた前記ケース（６）から飛び出している引き出し片（４）を引き、
該引き出し片（４）を引き出すと同時に、該引き出し片（４）が取り付けられている開口部（２）を開いた状態の防煙袋（３）を、該ケース（６）から取り出し、該開口部（２）から該防煙袋（３）内に空気を取り込み、そこに人の頭部（Ｈ）を入れることができる構成にした、ことを特徴とする。
【００１２】
前記防煙袋（３）は有底筒形状を有する透明な袋であり、その開口部（２）の縁端の中央位置に、前記引き出し片（４）が１枚取り付けられたものである。
または、前記防煙袋（３）は有底筒形状を有する透明な袋であり、その開口部（２）の各縁端に引き出し片（４）がそれぞれに取り付けられたものである。
前記引き出し片（４）は、前記ケース（６）の取出し口（５）から飛び出している部分に指掛け穴（２１）を開けることができる。
前記引き出し片（４）は、暗闇でも発見しやすいように、蓄光塗料（夜光塗料）を塗布することができる。
【００１３】
前記防煙袋（３）は、その開口部（２）が前記ケース（６）の取出し口（５）側に位置するように折り畳まれたものが好ましい。
前記引き出し片（４）を引いた際に、折り畳んだ防煙袋（３）が展開して広がりやすいように、前記防煙袋（３）の開口部（２）と反対位置の有底部分を前記ケース（６）の内面に粘着剤で貼着したものが好ましい。
【００１４】
前記被取付部が劇場、レストラン、ホール等の椅子（１１）であり、
前記ケース（６）の取出し口（５）から引き出し片（４）を垂らした状態になるように、該椅子（１１）の座席下面に、前記ケース（６）の粘着部（７）を貼り付けることができる。
前記被取付部がホテル、レストラン、ホール等のテーブル・机（１２）であり、
前記ケース（６）の取出し口（５）から引き出し片（４）を垂らした状態になるように、該テーブル・机（１２）の板材下面に、前記ケース（６）の粘着部（７）を貼り付けることができる。
【発明の効果】
【００１５】
本発明の構成では、防煙袋（３）の開口部（２）に取り付けられている引き出し片（４）は、ケース（６）内から防煙袋（３）を取り出す機能と共に、この開口部（２）を開ける機能を併せ持つ。引き出し片（４）は防煙袋（３）の開口部（２）に取り付けられているので、開口部（２）を迅速に開け、防煙袋（３）内に空気を取り込むことができる。火災が発生した際に、この防煙袋（３）を広げて人の頭部（Ｈ）を入れる。煙や有害ガスを吸い込むことなく避難することができる。
【００１６】
このケース（６）に設けられた粘着部（７）で家具又は壁等の被取付部に、緊急避難用防煙具（１）を貼り付けることができる。このように、ケース（６）内に収納された防煙袋（３）は、常に所定の場所にあることで、火事のように迅速に行動する必要がある際に、ケース（６）に入れた防煙袋（３）を容易に探すことができ、すぐに被ることができる。
【００１７】
引き出し片（４）を２枚付けたもの、引き出し片（４）に指掛け穴（２１）を開けたものは、開口部（２）を容易に開けることができる。蓄光塗料（夜光塗料）を塗布した引き出し片（４）は、暗闇の中でも容易に探し出すことができる。
【００１８】
引き出し片（４）を引いた際に、防煙袋（３）の開口部（２）と反対位置の有底部分をケース（６）の内面に粘着剤で貼着したものは、引き出し片（４）を引くことで折り畳んだ防煙袋（３）を展開しやすくなり、その後広がりやすくなる。内部への空気の取入れも容易になる。
【図面の簡単な説明】
【００１９】
【図１】本発明の緊急避難用防煙具を示し、（ａ）はケースの取出し口が上向き状態の斜視図、（ｂ）はケースの取出し口が上向き状態の拡大断面図である。
【図２】本発明の緊急避難用防煙具のケースを家具又は壁等の被取付部に備え付けた状態を示し、（ａ）は座席下面に備え付けた状態を示す椅子の側面図と、（ｂ）は板材下面に備え付けた状態を示すテーブルの側面図である。
【図３】緊急避難用防煙具の作業手順を示し、（ａ）は引き出し片を引く状態、（ｂ）は取出し口から防煙袋を取り出す状態、（ｃ）は防煙袋を取り出すのと同時に開口部が徐々に開いた状態、（ｄ）は防煙袋を取り出して広げた状態である。
【図４】緊急避難用防煙具の作業手順を示し、（ｅ）は人が防煙袋を被った状態、（ｆ）は防煙袋の首の部分を縮める状態である。
【図５】変形例１の２枚の引き出し片を有する防煙袋を示し、（ａ）はケースの取出し口が上向き状態の斜視図、（ｂ）は防煙袋を開いている状態の平面図である。
【図６】変形例２の指掛け穴を開けた引き出し片を有する防煙袋を示す斜視図である。
【図７】変形例３の蓄光塗料（夜光塗料）を塗布した引き出し片を有する防煙袋を示す斜視図である。
【発明を実施するための形態】
【００２０】
本発明は、火災が発生した際に、人が頭から被り、煙や有害ガスを吸い込むことなく避難するときに用いる緊急避難用防煙具である。
【実施例１】
【００２１】
＜緊急避難用防煙具の構成＞
以下、本発明の実施の形態を図面を参照して説明する。
図１は本発明の緊急避難用防煙具を示し、（ａ）はケースの取出し口が上向き状態の斜視図、（ｂ）はケースの取出し口が上向き状態の拡大断面図である。
本発明の緊急避難用防煙具１は、開口部２を有する有底筒形状の防煙袋３と、この開口部２に取り付けられた引き出し片４と、この引き出し片４を取り出す取出し口５が開けられたケース６と、このケース６を家具又は壁等の被取付部に貼り付けるための粘着部７と、を備えたものである。火災が発生した際に、この防煙袋３の開口部２を広げて人が頭から被り、その状態で煙や有害ガスを吸い込むことなく避難するときに使用する。
【００２２】
＜防煙袋と引き出し片の構成＞
防煙袋３は、ビニール袋などの透明なフィルム状のプラスチック製の有底筒形状の袋である。防煙袋３は避難するときに用いるため、視界が確保される透明な素材が好ましい。防煙袋３は、人が頭から被り、外部から煙、有害なガスの侵入を防止できるように首の部分で縮めることができる程度の大きさは必要である。更に、これを被った状態で人が安全な場所まで避難できるように２分から５分程度は呼吸できる空気量を充填する容量も必要である。図示例のように、開口が約７０ｃｍ、深さが約８０ｃｍ程度の大きさのものが適している。
【００２３】
この防煙袋３はケース６内に折り畳んだ状態で収納してある。この折り畳み方は、図１（ｂ）に示すように、例えば引っ張った際に展開しやすいようにジグザグに折り畳む方法がある。ケース６内に入れた防煙袋３は、開口部２に取り付けられた引き出し片４で取り出すようになっている。この引き出し片４は、ケース６の取出し口５から先端が飛び出した状態になっている。この引き出し片４を引いて、ケース６から防煙袋３を引き出すことができる。
【００２４】
このように防煙袋３に引き出し片４を取り付けたので、従来のように、防煙袋（ビニール袋）を収納袋から取り出すために、その収納袋を破る動作がなくなり、防煙袋３を迅速に装着することができる。
【００２５】
更に、防煙袋３は、その開口部２がケース６の取出し口５側に位置するように折り畳み、かつ収納されている。引き出し片４は、ケース６内から防煙袋３を取り出す機能と共に、この開口部２を開ける機能を併せ持つ。この引き出し片４は防煙袋３の開口部２に取り付けられているので、引き出し片４で開口部２を迅速に広げることができる。従来のスーパーマーケットのレジ袋でも、このレジ袋の中に買った商品を入れる際に、レジ袋を開口することが困難になることがあった。この防煙袋３の開口部２でも同じ状況にある。そこで、本発明ではこの開口部２に引き出し片４が取り付けられているので、迅速に広げることができる。
【００２６】
＜ケースの構成＞
ケース６は、防煙袋３を折り畳んだ状態で収納する程度の大きさを有する箱状又は袋状のものである。但し、後述するように、椅子の下面、テーブル・机の下面に備え付ける構成であるため、このケース６が腰掛けている人、テーブル・机を使用している人の邪魔にならない（干渉しない）程度の大きさ、厚さのものが好ましい。コンパクトな大きさが好ましい。
【００２７】
また、ケース６は、防煙袋３を折り畳んだ状態で収納しているだけでなく、このケース６に設けられた粘着部７で椅子の下面、テーブル・机の下面に貼り付けることができるようになっている。図１（ｂ）に示すように、例えば、この粘着部７はケース６の取出し口５の反対面に、２本の所謂、両面テープを貼り付けたものである。この両面テープの一面をこのケース６に貼り付け、両面テープの他面には剥離テープを貼り付けた状態にしておき、椅子、テーブルなどに貼り付ける際にこの剥離テープを剥がして貼り付ける。
【００２８】
＜緊急避難用防煙具の備え付け状態＞
図２は本発明の緊急避難用防煙具のケースを家具又は壁等の被取付部に備え付けた状態を示し、（ａ）は座席下面に備え付けた状態を示す椅子の側面図と、（ｂ）は板材下面に備え付けた状態を示すテーブルの側面図である。
本発明の緊急避難用防煙具１は、図２（ａ）に示すように、例えば劇場、レストラン、ホール等の椅子１１（被取付部）の座席下面に、ケース６の粘着部７を貼り付けることができる。このときケース６の取出し口５から引き出し片４を常に垂らした状態にする。なお、椅子１１の下面であれば、腰掛けているときに邪魔になることがない。
【００２９】
このようにホテルの宿泊室の椅子１１には緊急避難用防煙具１が備え付けられていることが意識づけられる。そこで、火災時の緊急時に緊急避難用防煙具１を容易に見つけ出すことができるようになる。また、劇場や大きなホールの多数の椅子１１にも、緊急避難用防煙具１を備えることも可能である。劇場の椅子は、使用していないときは座面が跳ね上がり、本発明の緊急避難用防煙具１を見ることができ、備え付ける状態を容易に認識することができる。
【００３０】
本発明の緊急避難用防煙具１は、図２（ｂ）に示すように、例えばレストラン、ホテル、ホール等のテーブル・机１２（被取付部）の板材下面に、ケース６の粘着部７を貼り付けて備え付ける。このときケース６の取出し口５から引き出し片４を垂らした状態にする。緊急避難用防煙具１を見つけやすくするためである。なお、レストランのテーブルの下面であれば、飲食中に邪魔になることがない。
【００３１】
このようにレストラン、ホテル、ホール等に備えられているテーブル・机１２には緊急避難用防煙具１が備え付けられていることが意識づけられる。そこで、緊急時にこの緊急避難用防煙具１を容易に見つけ出すことができるようになる。
【００３２】
本発明の緊急避難用防煙具１は、必ずしも引き出し片４を垂らした状態で備え付ける必要はない。テーブルの上に置いたり、壁に貼り付けて備え付けることができる。このときは、引き出し片４がケース６の外周に飛び出す程度の長さがあるのが好ましい。緊急時に引き出し片４を引っ張りやすい形態が好ましい。
【００３３】
＜緊急避難用防煙具の使用方法＞
図３は緊急避難用防煙具の作業手順を示し、（ａ）は引き出し片を引く状態、（ｂ）は取出し口から防煙袋を取り出す状態、（ｃ）は防煙袋を取り出す同時に開口部が徐々に開いた状態、（ｄ）は防煙袋を取り出して広げた状態である。図４は緊急避難用防煙具の作業手順を示し、（ｅ）は人が防煙袋を被った状態、（ｆ）は防煙袋の首の部分を縮める状態である。
火災が発生した際に、椅子の下面又はテーブル・机の下面を探し、防煙袋３入りのケース６を探す。図３（ａ）、（ｂ）に示すように、このケース６の取出し口５から垂れ下がっている引き出し片４を引く。図３（ｃ）に示すように、そのときに防煙袋３をケース６から取り出すと同時に、引き出し片４が取り付けられている開口部２を開けることができる。従来のビニール袋の開口部を開けるときのように、手間取ることがない。
【００３４】
図３（ｄ）に示すように、開口部２がある程度開いた状態で取り出した防煙袋３は、更にこの開口部２を大きく広げて、防煙袋３を膨らますように内部に空気を取り入れる。図４（ｅ）に示すように、この膨らんだ状態の防煙袋３の開口部２に人の頭部Ｈを入れて被る。上下が逆になって下方を向いた開口部２を手で持ち、更には図４（ｆ）に示すように、首の位置で縮める。
【００３５】
この状態であれば、人が外部の煙、有害なガスを吸引することなく、安全な場所へ移動して避難することができる。防煙袋３内には２〜５分程度は呼吸ができる空気が充填されているため、防煙袋３の外部から煙や有害ガスを吸い込むことなく、時間に余裕を持って移動することができる。
【００３６】
＜変形例１の２枚の引き出し片の構成＞
図５は変形例１の２枚の引き出し片を有する防煙袋を示し、（ａ）はケースの取出し口が上向き状態の斜視図、（ｂ）は防煙袋を開いている状態の平面図である。
変形例１の２枚の引き出し片４を有する防煙袋３は、防煙袋３の開口部２の端縁に２枚の引き出し片４がそれぞれに取り付けられている。このように、防煙袋３の開口部２の両端縁にそれぞれ引き出し片４が取り付けられたものは、２枚の引き出し片４を反対方向に引くだけで開口部２を容易に開けることができる。
【００３７】
＜変形例２の指掛け穴を開けた引き出し片の構成＞
図６は変形例２の指掛け穴を開けた引き出し片を有する防煙袋を示す斜視図である。
変形例２の防煙袋３は、ケース６から飛び出している引き出し片４に指掛け穴２１が開けられたものである。例えば、引き出し片４を濡れた指でつまんでもケース６から容易に引き出すことができない。そこで、濡れている指でも指掛け穴２１に差し込めば容易に引き出すことができる。また、お年寄りや指先に力が入りにくい人でも容易に引き出すことができる。図示例は２枚の引き出し片４それぞれに指掛け穴２１を開けたものを示しているが、１枚の引き出し片４の形態の物であってもよい。
【００３８】
＜変形例３の蓄光塗料（夜光塗料）を塗布した引き出し片の構成＞
図７は変形例３の蓄光塗料（夜光塗料）を塗布した引き出し片を有する防煙袋を示す斜視図である。
変形例３は、暗闇でも引き出し片４を探しやすいように蓄光塗料（夜光塗料）を塗布した引き出し片４である。火災が起きると、照明が切れて室内が暗くなることが多い。そこで、このような暗闇の空間であっても、防煙袋３を見つけやすいように引き出し片４に蓄光塗料（夜光塗料）を塗布した。図示していないが、ケース６に蓄光塗料（夜光塗料）を塗布するものでも良い。
【００３９】
＜変形例４の防煙袋をケース内に粘着剤で貼り付けた構成＞
図示していないが、引き出し片４を引いた際に、防煙袋３の開口部２と反対位置の有底部分をケース６の内面に粘着剤で貼着することが好ましい。引き出し片４で防煙袋３をケース６から取り出す際に、折り畳まれた防煙袋３を展開させる必要があるが、ケース６の取出し口５が裂けて、折り畳まれた状態で防煙袋３が取り出されることがある。この変形例４のように、引き出し片４を引くことで折り畳んだ防煙袋３を展開しやすくなり、その後広げやすくなる。内部への空気の取入れも容易になる。  
【００４０】
なお、本発明は、迅速に見つけ出し、かつ迅速に装着することができ、煙や有害ガスを吸い込むことなく避難する際に使用できる構成であれば、上述した発明の実施の形態に限定されず、本発明の要旨を逸脱しない範囲で種々変更できることは勿論である。
【産業上の利用可能性】
【００４１】
本発明の緊急避難用防煙具は、ホテル、レストラン、劇場、ホール以外に、人が多数集まる場所、例えば、大学の教室、工場などにいる人も利用することができる。
【符号の説明】
【００４２】
１  緊急避難用防煙具
２  開口部
３  防煙袋
４  引き出し片
５  取出し口
６  ケース
７  粘着部
１１  椅子（被取付部）
１２  テーブル・机（被取付部）
２１  指掛け穴
Ｈ  頭部
【要約】
【課題】迅速に見つけ出し、かつ迅速に装着することができ、煙や有害ガスを吸い込むことなく避難する際に使用できる。
【解決手段】人が頭から被った状態で２〜５分程度の呼吸ができる空気を充填できる容量があり、その人の首の位置で縮めることができる開口部２を有する有底筒形状の防煙袋３と、前記防煙袋３の開口部２に取り付けられた引き出し片４と、防煙袋３を折り畳んだ状態で収納すると共に、引き出し片４の先端を取り出せる取出し口５を有するケース６と、前記ケース６に取り付けられた、該ケース６を家具又は壁等の被取付部に貼り付けるための粘着部７と、を備えた。
【選択図】図１【図１】
0006750917.tif 000002
【図２】
0006750917.tif 000003
【図３】
0006750917.tif 000004
【図４】
0006750917.tif 000005
【図５】
0006750917.tif 000006
【図６】
0006750917.tif 000007
【図７】
0006750917.tif 000008